(57)【要約】【課題】原稿の大きさ又は向きと、設定されたパラメータとが整合しないと判別された場合に、原稿を改めて読み取る操作を不要とする原稿読取装置及び画像形成装置を提供する。【解決手段】原稿を読み取り、原稿の画像を取得する原稿画像取得部４２４と、原稿画像取得部４２４で取得した原稿の画像を記憶する記憶部４３０と、原稿画像取得部４２４で画像が取得された原稿の大きさ又は向きと、設定されたパラメータとが整合するか否かを判別する制御ユニット５００とを有し、原稿の大きさ又は向きと設定されたパラメータとが整合しないと判別された場合に、原稿の大きさ又は向きと整合するように変更されたパラメータに基づいて記憶部４３０に記憶された原稿の画像を出力する。【選択図】図９
2010062829.tif 000002
【特許請求の範囲】
【請求項１】
原稿を読み取り、原稿の画像を取得する原稿画像取得手段と、
前記原稿画像取得手段で取得した原稿の画像を記憶する記憶手段と、
前記原稿画像取得手段で画像が取得された原稿の大きさ又は向きと、設定されたパラメータとが整合するか否かを判別する判別手段と、
を有し、
原稿の大きさ又は向きと設定されたパラメータとが整合しないと判別された場合に、原稿の大きさ又は向きと整合するようにパラメータを設定変更する設定変更手段と、
を有する原稿読取装置。
【請求項２】
前記判別手段による判別結果を表示する表示手段をさらに有する請求項１記載の原稿読取装置。
【請求項３】
前記表示部は、前記判別部で、原稿の大きさ又は向きと設定されたパラメータとが整合しないと判別された場合に、操作者にパラメータを変更するように表示する請求項２記載の原稿読取装置。
【請求項４】
原稿の大きさ又は向きを検出する検出手段をさらに有し、
前記判別手段は、前記検出手段が検出した原稿の大きさ又は向きと、設定されたパラメータとが整合するか否かを判別する請求項１乃至３いずれか記載の原稿読取装置。
【請求項５】
原稿を読み取る原稿読取装置と、
前記原稿読取装置からの出力に基づいて画像を形成する画像形成部と、
を有し、
前記原稿読取装置は、
原稿を読み取り、原稿の画像を取得する原稿画像取得手段と、
前記原稿画像取得手段で取得した原稿の画像を記憶する記憶手段と、
前記原稿画像取得手段で画像が取得された原稿の大きさ又は向きと、設定されたパラメータとが整合するか否かを判別する判別手段と、
を有し、
原稿の大きさ又は向きと設定されたパラメータとが整合しないと判別された場合に、原稿の大きさ又は向きと整合するようにパラメータを設定変更する設定変更手段と、
を有する画像形成装置。
【発明の詳細な説明】
【技術分野】
【０００１】
本発明は、原稿読取装置及び画像形成装置に関する。
【背景技術】
【０００２】
特許文献２には、載置された原稿の画像形成処理に関する原稿情報を検知する検知手段と、複数の項目から利用者によって選択設定を行わせる手動設定項目と前記検知手段によって検知された前記原稿情報に基づいて複数の項目から選択設定を行う自動 設定項目とを有する第１画面と、少なくとも前記自動設定項目を有する第２画面とを切替えて表示操作部に表示し、前記第１画面、又は前記第２画面のいずれかに対する入力を受け付ける表示制御手段と、前記表示制御手段によって表示操作部に表示した前記第１画面の手動設定項目から受け付けた入力、及び前記検知手段によって検知した前記原稿情報とに基づいて画像形成処理を行う第１画面モード、又は前記検知手段によって検知した前記原稿情報に基づいて画像形成処理を行う第２画面モードのいずれかに従って 画像形成処理を行う制御手段と、前記制御手段による前記第２画面モードに基づく画像形成処理の動作中に、該画像形成処理の動作が継続可能か否かを判断する判断手段と、を備え、前記表示制御手段は、さらに、前記判断手段によって前記第２画面モードでの画像形成処理の動作が継続可能でないと判断された場合、前記自動設定項目を手動設定項目として利用者による選択設定を受け付け、前記制御手段は、さらにに、前記表示制御手段によって受け付けた前記自動設定項目を手動設定項目として利用者による選択設定で、画像形成処理を行う画像形成装置が開示されている。
【０００３】
【特許文献１】特開２００７−７４１５０号公報
【発明の開示】
【発明が解決しようとする課題】
【０００４】
本発明は、原稿の大きさ又は向きと、設定されたパラメータとが整合しないと判別された場合に、原稿を改めて読み取る操作を不要とする原稿読取装置及び画像形成装置を提供することを目的とする。
【課題を解決するための手段】
【０００５】
請求項１に係る本発明は、原稿を読み取り、原稿の画像を取得する原稿画像取得手段と、前記原稿画像取得手段で取得した原稿の画像を記憶する記憶手段と、前記原稿画像取得手段で画像が取得された原稿の大きさ又は向きと、設定されたパラメータとが整合するか否かを判別する判別手段と、を有し、原稿の大きさ又は向きと設定されたパラメータとが整合しないと判別された場合に、原稿の大きさ又は向きと整合するようにパラメータを設定変更する設定変更手段と、を有する原稿読取装置である。
【０００６】
請求項２に係る本発明は、前記判別手段による判別結果を表示する表示手段をさらに有する請求項１記載の原稿読取装置である。
【０００７】
請求項３に係る本発明は、前記表示部は、前記判別部で、原稿の大きさ又は向きと設定されたパラメータとが整合しないと判別された場合に、操作者にパラメータを変更するように表示する請求項２記載の原稿読取装置である。
【０００８】
請求項４に係る本発明は、原稿の大きさ又は向きを検出する検出手段をさらに有し、前記判別手段は、前記検出手段が検出した原稿の大きさ又は向きと、設定されたパラメータとが整合するか否かを判別する請求項１乃至３いずれか記載の原稿読取装置である。
【０００９】
請求項５に係る本発明は、原稿を読み取る原稿読取装置と、前記原稿読取装置からの出力に基づいて画像を形成する画像形成部と、を有し、前記原稿読取装置は、原稿を読み取り、原稿の画像を取得する原稿画像取得手段と、前記原稿画像取得手段で取得した原稿の画像を記憶する記憶手段と、前記原稿画像取得手段で画像が取得された原稿の大きさ又は向きと、設定されたパラメータとが整合するか否かを判別する判別手段と、を有し、原稿の大きさ又は向きと設定されたパラメータとが整合しないと判別された場合に、原稿の大きさ又は向きと整合するようにパラメータを設定変更する設定変更手段と、を有する画像形成装置である。
【発明の効果】
【００１０】
請求項１に係る本発明によれば、原稿の大きさ又は向きと、設定されたパラメータとが整合しないと判別された場合に、原稿を改めて読み取る操作を不要とする原稿読取装置を提供することができる。
【００１１】
請求項２に係る本発明によれば、請求項１に係る本発明が奏する効果に加えて、原稿の大きさ又は向きと、設定されたパラメータとが整合するか否かの判別結果を表示することができる原稿読取装置を提供することができる。
【００１２】
請求項３に係る本発明によれば、請求項１及び２に係る本発明が奏する効果に加えて、原稿の大きさ又は向きと設定されたパラメータとが整合しないと判別された場合に、操作者にパラメータを変更するように表示することができる原稿読取装置を提供することができる。
【００１３】
請求項４に係る本発明によれば、原稿の大きさ又は向きを検出し、検出した原稿の大きさ又は向きと設定されたパラメータとが整合するか否かを判別することができる原稿読取装置を提供することができる。
【００１４】
請求項５に係る本発明によれば、原稿の大きさ又は向きと、設定されたパラメータとが整合しないと判別された場合に、原稿を改めて読み取る操作を不要とする画像形成装置を提供することができる。
【発明を実施するための最良の形態】
【００１５】
次に本発明の実施形態を図面に基づいて説明する。
図１には、本発明の実施形態に係る画像形成装置１０が示されている。図１に示されるように、画像形成装置１０は、画像形成ユニット２０と、媒体供給ユニット１００と、表示操作ユニット２００と、原稿読取ユニット４００と、制御ユニット５００とを有し、これらが、例えばＬＡＮ（Local Area Network）等の通信網６００によって通信可能に接続されている。また、画像形成装置１０には、通信網６００を介して、例えばパーソナルコンピュータ等からなる単数又は複数の外部装置８００が接続されている。
【００１６】
画像形成ユニット２０は、例えば電子写真方式が採用されていて、原稿読取ユニット４００からの出力に基づいて画像を形成する。
【００１７】
媒体供給ユニット１００は、例えば普通紙等の画像形成がなされる媒体を画像形成ユニット２０に供給する。
【００１８】
表示操作ユニット２００は、ユーザインターフェイスとして用いられていて、表示操作ユニット本体２０２を有し、表示手段として用いられるとともに、操作手段として用いられるタッチパネル２０４が装着されている。ここで、タッチパネルとは、指や専用のペンで画面に触れることで入力操作が可能な装置であり、指等が触れた位置を検知して画面上の位置を指定し、操作対象に指示を与えることができる装置である。タッチパネル２０４には、操作者がタッチパネル２０４を操作することで、画像形成ユニット２０に供給する媒体の選択、画像を形成する媒体の枚数、原稿読取ユニット４００で原稿を読み取る際の倍率や解像度などの種々の設定のためのパラメータが入力される。
【００１９】
原稿読取ユニット４００は、原稿の画像を読み取り、原稿の画像を取得する原稿画像取得手段として用いられる原稿画像取得部４２４と、原稿画像取得部４２４で取得した原稿画像を記憶する記憶手段として用いられる記憶部４３０と、原稿の大きさ又は向きを検出する検出手段として用いられる原稿サイズ検出回路４５０とを有する。
【００２０】
原稿サイズ検出回路４５０は、例えばＣＰＵ（Central Processing Unit）等が用いられ、原稿画像取得部４２４で取得された原稿画像から、原稿の大きさ又は向きを検出する。
より具体的には、まず、原稿サイズ検出回路４５０に、原稿画像取得部４２４から、原稿搬送方向と交わる方向の予め定められた複数ライン分の原稿画像（読取データ）が入力される。原稿サイズ検出回路４５０は、入力された原稿の画像の濃度変化が大きい位置２箇所を検出し、原稿の画像の濃度が大きく変化した部分２箇所を原稿の端部とみなして原稿の幅を演算する。さらに、原稿サイズ検出回路４５０は、演算された原稿の幅と、予め記憶された、例えばＡ０サイズ、Ａ３サイズ等の種々の規格で定められた用紙の幅とを比較し、演算された原稿の幅が、特定の大きさの用紙の幅と一致又は近接していれば、原稿の幅は、該特定の幅であると判別する。
【００２１】
制御ユニット５００は、原稿画像取得部４２４で画像が取得される原稿の大きさ又は向きと、設定されたパラメータとが整合するか否かを判別する判別手段として用いられている。また、制御ユニット５００は、後述する変更部２４６（図６参照）やサイズ設定部（図８参照）で変更されたパラメータに基づいて、記憶部４３０に記憶された原稿画像を出力するように制御する制御部として用いられている。
【００２２】
また、制御ユニット５００は、例えばＣＰＵ等の処理回路を有し、例えば、画像形成ユニット２０内に装着されていて（図２参照）、タッチパネル制御部５０２と、ジョブ制御部５０４と、記憶部５０６とを有する。タッチパネル制御部５０２は、タッチパネル２０４での入力、表示を制御し、タッチパネル２０４で指定されたパラメータの情報を、ジョブ制御部５０４に伝達する。ジョブ制御部５０４は、タッチパネル制御部５０２からのパラメータ情報に基づいて、画像形成ユニット２０、媒体供給ユニット１００、及び原稿読取ユニット４００を制御して原稿を読み取らせ、画像形成を行わせる。
【００２３】
図２には、媒体供給ユニット１００と、画像形成ユニット２０とが示されている。
媒体供給ユニット１００は、例えば１つのロール媒体供給装置１１０と、例えば２つのカット媒体供給装置１４０とを有し、ロール媒体供給装置１１０の下方に、２つのカット媒体供給装置１４０が位置するように重ねられて配置されている。ここで、ロール媒体とは、例えばロール紙等のロール状に巻かれた画像形成がなされる媒体をいう。また、カット媒体とは、例えばＡ４サイズ、Ｂ５サイズ等のサイズに１枚ずつ切断された、例えば紙等の画像形成がなされる媒体をいう。
【００２４】
ロール媒体供給装置１１０は、ロール媒体供給装置本体１１２を有し、ロール媒体供給装置本体１１２内に、ロール媒体１１４が回転することができ、先端部を引き出すことができるように装着されている。また、ロール媒体供給装置本体１１２内には、ロール媒体が搬送される通路であるロール媒体搬送路１１６が形成されていて、ロール媒体搬送路１１６に沿って、ロール媒体の搬送方向上流側から順に、引き出しロール１１８と、搬送ロール１２０と、切断装置１２２とが装着されている。
【００２５】
引き出しロール１１８は、巻かれた状態にあるロール媒体の先端部を引き出し、該先端部をロール媒体搬送方向下流側に向けて引き出すために用いられる。搬送ロール１２０は、引き出しロール１１８によって引き出された用紙を、さらに下流側、すなわち画像形成ユニット２０側に搬送するために用いられる。切断装置１２２は、必要な長さ分が画像形成ユニット２０に供給されたロール媒体１１４の後端側を切断するために用いられる。
【００２６】
また、ロール媒体供給装置本体１１２内には、２つのカット媒体供給装置１４０、１４０からそれぞれ供給されるカット媒体が、画像形成ユニット２０側に搬送される際に通過する通過搬送路１２４が形成されていて、通過搬送路１２４に沿って搬送ロール１２８が装着されている。搬送ロール１２８は、２つのカット媒体供給装置１４０、１４０から供給されたカット媒体を、画像形成ユニット２０側に搬送するために用いられる。
【００２７】
カット媒体供給装置１４０、１４０は、それぞれがカット媒体供給装置本体１４２を有し、カット媒体供給装置本体１４２内に、カット媒体を積層するように収納するカット媒体収納部１４４が、例えばカット媒体供給装置本体１４２に対して着脱することができるように装着されている。また、カット媒体供給装置本体１４２内には、カット媒体収納部１４４の最上位に位置するカット媒体を、カット媒体搬送方向における下流側に送り出す送り出しロール１４６と、送り出しロール１４６によって引き出されたカット媒体を、さらに上流側に向けて搬送する搬送ロール１４８と、カット媒体を捌いてカット媒体の重送を防止する捌きロール１５０とが装着されている。また、搬送ロール１４８、及び捌きロール１５０の下流側に搬送ロール１５２が装着されている。
【００２８】
２つのカット媒体供給装置１４０、１４０のうち、下側に配置されたカット媒体供給装置から供給されたカット媒体は、上側に位置するカット媒体供給装置本体１４２内及びロール媒体供給装置本体１１２内を通過するようにして、画像形成ユニット２０に搬送される。また、２つのカット媒体供給装置１４０、１４０のうち、上側に配置されたカット媒体供給装置から供給されたカット媒体は、ロール媒体供給装置本体１１２内を通過するようにして、画像形成ユニット２０に搬送される。
【００２９】
画像形成ユニット２０は、例えば、原稿読取ユニット４００で取得された原稿画像に基づく画像形成を行うことができ、例えば、黒単色等の単色の画像を形成することができる。また、画像形成ユニット２０は、画像形成ユニット本体２２を有し、画像形成ユニット本体２２内には、媒体供給ユニット１００から供給された媒体が通過する媒体搬送路５０が形成されている。
【００３０】
また、画像形成ユニット本体２２内には、例えば感光体ドラムが用いられる像保持体３０と、像保持体３０を一様に帯電する帯電装置３２と、帯電装置３２により一様に帯電された像保持体３０に潜像を形成する潜像形成装置３４と、潜像形成装置３４により形成された像保持体３０上の潜像をトナーで可視化する現像装置３６と、現像装置３６により形成されたトナー像を媒体に転写する転写装置４０と、像保持体３０に残ったトナーをクリーニングするクリーニング装置４２とが装着されている。
【００３１】
また、画像形成ユニット本体２２内には、媒体搬送路５０に沿って、媒体搬送方向上流側から順に、搬送ロール５２と、レジストロール５４と、定着装置５６と、搬送ロール５８と、排出ロール６０とが装着されている。搬送ロール５２は、媒体をレジストロール５４に向けて搬送する。レジストロール５４は、停止した状態から所定のタイミングで回転を開始することで、像保持体３０にトナー像が形成されるタイミングと合致するように、媒体を像保持体３０と転写装置４０との接触部に送り出す。
【００３２】
定着装置５６は、転写装置４０によって媒体に転写されたトナー像を、圧力と熱とで媒体に定着する。排出ロール６０は、トナー像が定着された媒体を、画像形成ユニット本体２２外に排出する。
【００３３】
図３には、原稿読取ユニット４００が示されている。
原稿読取ユニット４００は、単色又はカラーの画像を読み取ることができ、原稿読取ユニット本体４０２を有し、原稿読取ユニット本体４０２内に、原稿が通過する原稿搬送路４０４が形成されている。また、原稿読取ユニット本体４０２内に、原稿の搬送に用いられる原稿搬送部４０８が装着されている。原稿搬送部４０８は、原稿の搬送方向における上流側に設けられた搬送ロール４１０と、同方向における下流側に設けられた搬送ロール４１２とを有する。
【００３４】
また、原稿読取ユニット本体４０２内には、先述の原稿画像取得部４２４が装着されている。原稿画像取得部４２４は、光透過性部材４１４と、光照射装置４１６と、光電変換部材４１８とを有する。光透過性部材４１４は、例えばガラス等の光を透過する材料が用いられ、例えば、原稿搬送路４０４の下側に配置されている。光照射装置４１６は、例えば、キセノンランプが用いられ、光透過性部材４１４を通過するようにして、原稿搬送路４０４を搬送中の原稿に光を照射する。
【００３５】
光電変換部材４１８は、光照射装置４１６から照射され、原稿の下向きの面で反射され、図示を省略する光学系によって集められた光が入射する位置に配置されていて、入射した光を電気信号に変換する。光電変換部材４１８には、例えばＣＣＤアレイが用いられ、ＣＣＤアレイが用いられる場合、該ＣＣＤアレイは、ＲＧＢ３色用の３列一組の受光センサを有している。原稿読取ユニット本体４０２の外側には、原稿の搬送ロール４１２によって原稿読取ユニット本体４０２外に排出された部分を画像形成装置１０に前側（図２における右側）に案内する案内部材４２０が装着されている。
【００３６】
図４には、表示操作ユニット２００がブロック図として示されている。
表示操作ユニット２００は、初期設定画面２２０と、設定変更画面２４０と、原稿サイズ検知エラー画面２６０と、原稿サイズ設定画面２８０とを有する。初期設定画面２２０と、設定変更画面２４０と、原稿サイズ検知エラー画面２６０と、原稿サイズ設定画面２８０とは、タッチパネル２０４に、例えば選択して表示される。
【００３７】
初期設定画面２２０は、原稿の読み取りや、画像形成をするに先立ってタッチパネル２０４に表示される画面であり、例えば、読み取る原稿の大きさや、出力をする媒体（用紙）の大きさや向き、出力をする媒体の種類等のパラメータを設定するために用いられる。
【００３８】
設定変更画面２４０は、原稿の読み取りや、画像形成のために画像形成装置１０が動作を開始した後に、初期設定画面２２０で設定されたパラメータ等の、その時点で設定されているパラメータを変更する必要が生じた場合に表示される画面である。設定変更画面２４０では、例えば、出力をする媒体の向きに関するパラメータが変更される。
【００３９】
原稿サイズ検知エラー画面２６０は、原稿サイズ検出回路４５０による原稿サイズの検出にエラーが生じた際に、タッチパネル２０４に表示される画面である。
【００４０】
原稿サイズ設定画面２８０は、例えば、原稿サイズ検出回路４５０による原稿サイズの検出にエラーが生じ、原稿サイズ検出回路４５０で原稿のサイズを検出できないときに、操作者が原稿サイズのパラメータを入力するために用いられる画面である。
【００４１】
図５には、初期設定画面２２０が示されている。
初期設定画面２２０は、モードを選択に関するパラメータを設定するために用いられるモード選択部２２２と、原稿の搬送方向に関するパラメータを設定するために用いられる原稿搬送方向設定部２２４と、読み取られる原稿のサイズと向き毎に、出力される媒体のサイズと、向きと、種類とを規定するパラメータを設定するために用いられる媒体設定部２２６とを有する。
【００４２】
モード選択部２２２は、用いる媒体を選択するためのモードを選択するために用いられていて、オードモードと、マニュアルモードとを選択できるようになっている。ここで、オードモードとは、読み取られる原稿のサイズや向きに応じて、予め設定された媒体のサイズと、向きと、種類とが選択されるモードである。また、マニュアルモードとは、原稿の読み取りや媒体への出力を行う際に、その都度、任意に操作者が媒体のサイズと、向きと、種類とを選択することができるモードである。図５には、オートモードが選択された状態が示されている。
【００４３】
原稿搬送方向設定部２２４は、読み取る原稿が定型サイズであり該原稿を縦方向に搬送するのか、読み取る原稿が定型サイズであり該原稿を横方向に搬送するのか、読み取る原稿が非定形サイズの原稿であるのかの３個のパラメータのいずれかを選択することができるようになっている。ここで、原稿の縦方向の搬送とは、原稿の搬送方向と原稿の長辺方向とが一致することをいう。一方、原稿の横方向の搬送とは、原稿の搬送方向と、原稿の短辺方向とが一致することをいう。
【００４４】
原稿の幅は、原稿サイズ検出回路４５０（図１参照）によって検出される。もっとも、例えば、Ａ０サイズの原稿とＡ１サイズの原稿等、同系列に属する２種類のサイズの原稿であって、互いに隣り合うサイズの原稿は、大きい側の原稿の短辺の長さと、小さい側の長辺の長さとが等しく、原稿の幅を検出するだけでは両者を区別することができない。そこで、この実施形態では、原稿搬送方向設定部２２４を用いて原稿が縦方向に搬送されるのか、原稿が横方向に搬送されるのかのパラメータの設定を操作者が行うことで、両者を区別できるようにしている。
【００４５】
媒体設定部２２６は、先述のように、読み取られる原稿のサイズと向き毎に、出力される媒体のサイズと、向きと、種類とを規定するパラメータを設定するために用いられ、例えば、図５における媒体設定部２２６の最上位の列には、原稿サイズＡ０の原稿を縦方向に搬送して読み取り、媒体に画像形成をする場合は、Ａ１サイズの横方向に搬送される普通紙を媒体として用いるとのパラメータが設定された様子が示されている。この場合、読み取られたＡ０サイズの原稿が、Ａ１サイズに縮小して出力される。
【００４６】
また、図５における上から２番目の列には、原稿サイズＡ１の原稿を縦方向に搬送して読み取り、媒体に画像形成をする場合は、Ｂ２サイズのフィルムを縦方向に用いるとのパラメータの設定された状態が示されている。図５の中の「トレペ」はトレーシングペーパを示し、媒体の種類としてトレーシングペーパを用いるとのパラメータが設定された状態を示している。
【００４７】
図５では、５種類の原稿に対して、それぞれに設定された５通りの媒体のサイズ、方向、及び種類のパラメータの組み合わせが示されている。他の原稿サイズについても同様に設定されているが、使用頻度の高い５種類の原稿について表示がされている。その一方、媒体供給ユニット１００は、ロール媒体供給装置１１０と、カット媒体供給装置１４０、１４０との３種類の媒体を供給できるようになっている（図２参照）。この実施形態では、例えば、カット媒体供給装置１４０に装着されたカット媒体収納部１４４を、用いる媒体の種類に応じて交換することで、５種類の媒体の供給を行うことができるようになっている。カット媒体収納部１４４を交換することに替えて、互いにサイズ、向き、及び種類のいずれかが異なる５種類の用紙を供給することができるようにするために、ロール媒体供給装置１１０と、カット媒体供給装置１４０、１４０との３個の供給装置に加えて、他の２つの供給装置を追加しても良い。
【００４８】
図６には、設定変更画面２４０が示されている。
設定変更画面２４０は、先述のように、画像形成装置１０が動作を開始した後に、初期設定画面２２０で設定されたパラメータ等の、その時点で設定されているパラメータを変更する必要が生じた場合に表示される画面である。設定変更画面２４０は、原稿の大きさ又は向きと、他とのパラメータとが互いに整合しないことを通知する通知部２４２と、取消部２４４と、その時点におけるパラメータを変更する操作に用いられる変更部２４６とを有する。
【００４９】
通知部２４２は、原稿の大きさ等と、他のパラメータとが整合しないことを示すとともに、変更部２４６を操作してパラメータを変更した後スタートボタン押下による再スタートするか、Ｃボタン（クリアボタン）押下による出力（コピー）を中止するかのいずれかの操作をするように、操作者に操作を促す表示がなされる。図６に示す例では、「用紙の向きを縦に設定してから」と用いる用紙（媒体）の向きを促す表示がなされた状態が示されている。
【００５０】
変更部２４６には、原稿のサイズ等と他のパラメータとの不整合であって、通知部２４２に示される不整合を解消するようにパラメータを変更するための表示がなされる。図６に示される例では、変更部２４６に設定されている用紙方向と用紙サイズが表示され、通知部２４２に媒体の方向を縦方向に変更することを促す表示がされている。
【００５１】
ここで、図６に示される「先端後端余白」とは、出力される媒体の搬送方向における先端部側、又は後端部側の少なくともいずれか一方に設けられる、画像形成がなされていない余白をいう。例えば原稿を読み取る向きが縦方向であって、用いる媒体の向きが横方向であるとのように、原稿を読み取る向きと出力に用いられる媒体の向きとが互いに異なる場合、先端後端余白の設定を許容すると、操作者の意図が、媒体の、原稿における先端側、又は後端側に相当する位置に余白を設けるとの意図であるのか、媒体が搬送される方向における先端側、又は後端側に余白を設けるとの意図であるかが分かりにくく、操作者の意図と異なる位置に余白が設定されることがある。このため、この画像形成装置１０では、原稿を読み取る向きと出力に用いられる媒体の向きとが互いに異なる場合、先端後端余白の設定をできないようにしている。
【００５２】
原稿を読み取る向きと出力に用いられる媒体の向きとが互いに異なる場合であって、先端後端余白の設定をする場合は、先述のように、変更部２４６に、原稿の搬送方向と同じ向きの媒体を選択するための表示がなされる。
【００５３】
図７には、原稿サイズ検知エラー画面２６０が示されている。
原稿サイズ検知エラー画面２６０は、先述のように、原稿サイズ検出回路４５０による原稿サイズの検出にエラーが生じた際に表示される画面である。ここで、原稿サイズの検知エラーとは、例えば、モード選択部２２２でオートモードが選択されている場合等（図５参照）、定型の原稿を読み取るとのパラメータが設定されているにもかかわらず、原稿サイズ検出回路４５０による原稿サイズ（原稿の幅）の検出ができないことをいう。原稿サイズ検知エラーは、例えば原稿が傾いた状態で搬送され、本来の原稿の幅よりも長く原稿の幅が検出される場合等に生じる虞がある。
【００５４】
原稿サイズ検知エラー画面２６０は、原稿の検出にエラーが生じたことを通知する通知部２６２と、取消部２６４と、その時点におけるパラメータを変更する操作に用いられる変更部２６６とを有する。
【００５５】
通知部２６２は、原稿のサイズ検知にエラーが生じたことを表示するとともに、原稿サイズを特定するための、例えば「読み取りサイズを設定してください」等のパラメータの入力を促す表示をする。尚、パラメータを変更するのではなく、紙等の媒体への出力を中止する際には、図示を省略するＣボタン（クリアボタン）が操作される。
【００５６】
変更部２６６は、原稿の幅を自動で検出するモードから、予め登録された複数の原稿サイズの中から読み取った原稿のサイズを選択するモードにするように、パラメータを変更する場合に操作される。
【００５７】
図８には、原稿サイズ設定画面２８０が示されている。
原稿サイズ設定画面２８０は、先述のように、原稿サイズ検出回路４５０による原稿サイズの検出にエラーが生じ、原稿サイズ検出回路４５０で原稿のサイズを検出できないときに、操作者が原稿サイズのパラメータを入力するために用いられる画面であり、原稿サイズ検知エラー画面２６０の変更部２６６が操作された場合に表示される。原稿サイズ設定画面２８０は、原稿サイズを設定する操作を取り消す取消部２８２と、原稿のサイズを規定するパラメータを入力するためのサイズ設定部２８４とを有する。
【００５８】
サイズ設定部２８４には、予め記憶された複数の原稿の種類が表示され、表示されたサイズのいずれかを選択することで、原稿の幅を設定することができるようになっている。図８においては、Ａ０幅の原稿に設定された状態が示されている。
【００５９】
図９は、画像形成装置１０の動作を示すフローチャートである。
図９に示されるように、例えばタッチパネルが有するスタート部（不図示）が操作されることによって一連の動作がスタートすると、ステップＳ１０で、制御ユニット５００のジョブ制御部５０４は、原稿搬送部４０８を制御して原稿の搬送を開始させ、原稿画像取得部４２４を制御して原稿画像を取得させ、取得した画像を記憶部４３０に記憶させる。
【００６０】
このステップＳ１０においては、原稿の幅にかかわらず、原稿画像取得部４２４で取得することができる最大幅の原稿画像が取得され、取得された最大幅の原稿画像が、記憶部４３０に記憶される。例えば、原稿画像取得部４２４で原稿画像を取得することができる最大の幅が、Ａ０サイズの原稿の横方向における幅であった場合、例えば、Ａ３サイズの原稿を横方向に取得する場合であっても、Ａ０サイズの横方向の幅の原稿画像が取得され、取得された原稿画像が記憶部４３０に記憶される。
【００６１】
次のステップＳ１２で、ジョブ制御部５０４は、原稿サイズ検出回路４５０を制御し、原稿画像取得部４２４で取得された原稿情報に基づいて、原稿のサイズ（原稿の幅）と向きとを検出させ、検出した原稿のサイズと向きとを制御ユニット５００に送信させる。
【００６２】
次のステップＳ１４で、制御ユニット５００は、原稿サイズ検出回路４５０から送信された原稿の大きさ又は向きと、例えば初期設定画面２２０で入力されたパラメータ等、その時点におけるパラメータとが整合するか否かの判別をする。ここで、原稿の大きさ又は向きと、パラメータとが整合しない例としては、先述のように、原稿の向きと出力に用いられる媒体の向きとが互いに異なる場合であって、媒体の先端部又は後端部に余白を形成するとのパラメータが設定された場合を挙げることができる。また、原稿の大きさ又は向きと、パラメータとが整合しない他の例としては、先述のように、定型の原稿を読み取るとのパラメータが設定されているにもかかわらず、原稿サイズ検出回路４５０による原稿サイズの検出ができない場合を挙げることができる。
【００６３】
ステップＳ１４で、原稿の大きさ又は向きと設定されたパラメータとが整合するとの判別がなされた場合はステップＳ１４に進み、原稿の大きさ又は向きとパラメータとが整合しないとの判別がなされた場合は、ステップＳ２０に進む。
【００６４】
ステップＳ１６で、制御ユニット５００のジョブ制御部５０４は、記憶部４３０に記憶された原稿画像を、制御ユニット５００側の記憶部５０６に転送させる。
【００６５】
ステップＳ１６に続くステップＳ１８で、ジョブ制御部５０４は、記憶部４３０に記憶された原稿画像を画像形成ユニット２０に出力させ、画像形成ユニット２０に出力された原稿情報に基づいて画像形成ユニット２０に画像形成を行わせて、一連の処理を終了させる。ステップＳ１６においては、画像形成ユニット２０には、原稿画像取得部４２４で取得することができる最大幅の原稿画像ではなく、原稿の幅に相当する幅の原稿画像が出力される。また、画像形成ユニット２０への出力に先立ち、例えば画像処理等の必要な処理が原稿画像に施される。
【００６６】
ステップＳ１８で、原稿画像を画像形成ユニット２０に出力することに替え、又は画像形成ユニット２０に出力することと併せて、原稿画像を単数又は複数の外部装置８００に出力しても良い。
【００６７】
一方、ステップＳ２０では、タッチパネル制御部５０２が、タッチパネル２０４に、原稿の大きさ又は向きと、パラメータとが整合しない旨の表示をさせる。すなわち、タッチパネル制御部５０２は、生じた不整合に応じて、タッチパネル２０４に、通知部２４２を有する設定変更画面２４０（図６参照）や、通知部２６２を有する原稿サイズ検知エラー画面２６０（図７参照）を表示させる。
【００６８】
ステップＳ２０に続くステップＳ２２で、操作者によってパラメータが変更されたことを確認した後、次のステップＳ２４に進む。より具体的には、設定変更画面２４０の変更部２４６で用いる媒体（用紙）の向きを変更するようにパラメータが変更されるか、原稿サイズ設定画面２８０のサイズ設定部２８４で原稿を規定するパラメータが設定されることを確認した後、次のステップＳ２４に進む。
【００６９】
次のステップＳ２４では、図示を省略する、例えばスタートボタン等の動作再開始部が操作される等の方法で、動作の再開が指示されることを待って、ステップＳ１４に戻る。
【００７０】
ステップＳ２４から戻ったステップＳ１４では、制御ユニット５００は、原稿のサイズ又は向きと、ステップＳ２２で変更されたパラメータとが整合するか否かの判別をする。このステップＳ２４で、原稿のサイズ又は向きとパラメータとが整合しないとの判別がなされた場合は、再びステップＳ２０へ進む。
【００７１】
一方、ステップＳ２４から戻ったステップＳ１４で原稿の大きさ又は向きと設定されたパラメータとが整合するとの判別がなされた場合、次のステップＳ１６で、先に記憶部４３０に記憶された原稿画像を制御ユニット５００側の記憶部５０６に転送させ、ステップＳ１８で画像形成ユニット２０に画像形成等を行わせる。
【００７２】
以上のように、ステップＳ１６及びステップＳ１８では、原稿の大きさ又は向きとパラメータとが整合せずに、この不整合を解消するためにパラメータを変更した場合は、記憶部４３０に記憶された原稿画像が、例えば画像形成ユニット２０への出力に用いられる。このため、原稿の大きさ又は向きとパラメータとに不整合がある場合に、改めて原稿搬送部４０８で原稿を搬送し、原稿搬送部４０８で搬送中の原稿の画像を原稿画像取得部４２４で取得するとの動作、及び操作は不要である。
【産業上の利用可能性】
【００７３】
以上で説明をしたように、本発明は原稿読取装置と、例えば複写機等の原稿読取装置を有する画像形成装置に適用することができる。
【図面の簡単な説明】
【００７４】
【図１】本発明の実施形態に係る画像形成装置の構成を示す図である。
【図２】本発明の実施形態に係る画像形成装置が有する画像形成部と媒体供給部とを示す断面図である。
【図３】本発明の実施形態に係る画像形成装置が有する原稿読取部を示す断面図である。
【図４】本発明の実施形態に係る画像形成装置が有する表示操作部を示すブロック図である。
【図５】本発明の実施形態に係る画像形成装置が有する表示操作部に表示される初期設定画面を示す図である。
【図６】本発明の実施形態に係る画像形成装置が有する表示操作部に表示される設定変更画面を示す図である。
【図７】本発明の実施形態に係る画像形成装置が有する表示操作部に表示される原稿サイズ検出エラー画面を示す図である。
【図８】本発明の実施形態に係る画像形成装置が有する表示操作部に表示される原稿サイズ設定画面を示す図である。
【図９】本発明の実施形態に係る画像形成装置の動作を示すフローチャートである。
【符号の説明】
【００７５】
１０      画像形成装置
２０      画像形成ユニット
２００    表示操作ユニット
２０４    タッチパネル
２２０    初期設定画面
２４０    設定変更画面
２６０    原稿サイズ検知エラー画面
２８０    原稿サイズ設定画面
４００    原稿読取ユニット
４１８    光電変換部材
４２４    原稿画像取得部
４３０    記憶部
４５０    原稿サイズ検出回路
５００    制御ユニット
【図１】
2010062829.tif 000003
【図２】
2010062829.tif 000004
【図３】
2010062829.tif 000005
【図４】
2010062829.tif 000006
【図５】
2010062829.tif 000007
【図６】
2010062829.tif 000008
【図７】
2010062829.tif 000009
【図８】
2010062829.tif 000010
【図９】
2010062829.tif 000011